(57)【特許請求の範囲】
【請求項１】
ＩＣタグホルダーが、同一の２枚の板材が、互いの中心垂直線が一致するように、且つ、一方の板材ともう一方の板材とが互いに直交するように配置された矢羽根部を有しているとともに、前記ＩＣタグホルダーを構成する板材の両垂直端に形成された下部係止突片の下辺が、下部デッキを構成する交叉梁の上端に載置され、また、前記ＩＣタグホルダーを構成する板材の両垂直端に形成された上部係止突片の上辺が、上部デッキを構成する交叉梁の下端に接近して位置するように構成されており、更に、前記ＩＣタグホルダーを構成する板材の両垂直端が、前記上部デッキを構成する交叉梁の該交叉梁により形成される隅部、及び、前記下部デッキを構成する交叉梁の該交叉梁により形成される隅部に、それぞれ、接近して位置するように構成されていることを特徴とするパレットへのＩＣタグホルダー取り付け機構。
【発明の詳細な説明】
【技術分野】
【０００１】
本発明は、物品の運搬、移送、保管等に使用されるパレットへのＩＣタグホルダー取り付け機構に関するものであり、ＩＣタグホルダーには、ＩＣタグが収容されており、ＩＣタグは、パレットのサイズや材質や所有者等のパレット自体に関する情報及びパレットに載置される物品の種類や個数や行き先等の物品自体に関する情報等の種々の情報が蓄積されるＩＣチップや電池やアンテナ等が収容されている。
【背景技術】
【０００２】
従来、パレットの側面部やデッキを構成する相対する桟間に吊り下げるように構成された、パレットへのＩＣタグホルダー取り付け機構が、一例として、特許文献１に開示されている。
【特許文献１】特開平９−２５４９８３号公報
【発明の開示】
【発明が解決しようとする課題】
【０００３】
従来、ＩＣタグホルダーの形状に対応して、パレットに変更を加えなければならず、既存のパレットに、ＩＣタグホルダーを取り付けることができないという問題があった。
【０００４】
また、従来、ＩＣタグホルダーが、物品が載置されるデッキ面付近や桁付近に配設されているために、物品が、金属製であったり、磁気を有する場合には、ＩＣタグが、物品に影響されて、リーダー・ライターが、ＩＣタグに収容されたＩＣチップに蓄積された情報を的確に読み取ることができなかったり、ＩＣタグに収容されたＩＣチップに的確な情報を記憶することができないという問題があった。
【０００５】
更に、物品が載置されていないパレットを保管する場合には、パレットを、デッキ面が水平になるように、上下方向に段積みしたり、或いは、デッキ面が垂直になるように、立てかけるように並設することが行われているが、ＩＣタグホルダーが、物品が載置されるデッキ面付近や桁付近に配設されている場合には、隣接するパレットに配設されたＩＣタグホルダー同士が、接近して位置する場合があり、従って、リーダー・ライターが、隣接するパレットに配設された各ＩＣタグに収容されたＩＣチップに蓄積された情報を的確に読み取ることができなかったり、ＩＣタグに収容されたＩＣチップに的確な情報を記憶することができないという問題があった。このような問題を解決するために、隣接するパレットに配設されたＩＣタグホルダー同士が、接近しないように保管するためには、作業者が、いちいち、ＩＣタグホルダーの位置を確認して、パレットを段積みしたり、立てかけなければならず、従って、パレットの保管作業の作業性が悪いという問題があった。
【０００６】
本発明の目的は、上述した従来のパレットへのＩＣタグホルダー取り付け機構が有する課題を解決することにある。
【課題を解決するための手段】
【０００７】
本発明は、上述した目的を達成するために、  ＩＣタグホルダーが、同一の２枚の板材が、互いの中心垂直線が一致するように、且つ、一方の板材ともう一方の板材とが互いに直交するように配置された矢羽根部を有しているとともに、前記ＩＣタグホルダーを構成する板材の両垂直端に形成された下部係止突片の下辺が、下部デッキを構成する交叉梁の上端に載置され、また、前記ＩＣタグホルダーを構成する板材の両垂直端に形成された上部係止突片の上辺が、上部デッキを構成する交叉梁の下端に接近して位置するように構成されており、更に、前記ＩＣタグホルダーを構成する板材の両垂直端が、前記上部デッキを構成する交叉梁の該交叉梁により形成される隅部、及び、前記下部デッキを構成する交叉梁の該交叉梁により形成される隅部に、それぞれ、接近して位置するように構成したものである。
【発明の効果】
【０００８】
ＩＣタグが、パレットの上部デッキと下部デッキとの中央に配置されるように、パレットに、ＩＣタグホルダーを取り付けるように構成したので、パレットに載置される物品が、金属製であったり、磁気を有する場合であっても、ＩＣタグが上部デッキや下部デッキに配設された場合に較べて、ＩＣタグが、物品から離れた位置にあるので、ＩＣタグに収容されたＩＣチップが、物品に影響されて、リーダー・ライターによる情報の読み書きに、ミスが生じるようなことを防止することができる。
【０００９】
ＩＣタグが、パレットの上部デッキと下部デッキとの中央に配置されるように、パレットに、ＩＣタグホルダーを取り付けるように構成したので、水平状態の空のパレットを段積みしたり、或いは、垂直状態の空のパレットを並設した際に、隣接した空のパレットに取り付けられたＩＣタグが、接近して位置するようなことがないので、ＩＣタグに収容されたＩＣチップが、接近して位置するＩＣタグに影響されて、リーダー・ライターによる情報の読み書きに、ミスが生じるようなことを防止することができる。
【００１０】
ＩＣタグホルダーを構成する板材の両垂直端に形成された上部係止突片の上辺が、上部デッキを構成する交叉梁の下端に接触、或いは、接近して位置するとともに、ＩＣタグホルダーを構成する板材の両垂直端に形成された下部係止突片の下辺が、下部デッキを構成する交叉梁の上端に載置されるように構成したので、上部デッキに、互いに交叉する交叉梁が形成されているとともに、下部デッキにも、互いに交叉する交叉梁が形成されているパレットであれば、パレットに、何ら、加工を施すようなことなく、既存のパレットに、ＩＣタグホルダーを取り付けることができる。
【００１１】
ＩＣタグホルダーを構成する板材の両垂直端に形成された上部係止突片の上辺が、上部デッキを構成する交叉梁の下端に接触、或いは、接近して位置するとともに、ＩＣタグホルダーを構成する板材の両垂直端に形成された下部係止突片の下辺が、下部デッキを構成する交叉梁の上端に載置されるように構成したので、ＩＣタグホルダーが、パレットに対して、上下動するようなことがなく、パレットに、安定した状態で、ＩＣタグホルダーを取り付けることができ、従って、ＩＣタグホルダーに収容されたＩＣタグのＩＣチップに蓄積された情報の読み取りやＩＣタグのＩＣチップへの情報の書き込みに、ミスが生じるようなことを防止することができる。
【００１２】
ＩＣタグホルダーを構成する板材の両垂直端が、上部デッキを構成する交叉梁により囲まれた領域の隅部及び下部デッキを構成する交叉梁により囲まれた領域の隅部に、それぞれ、当接或いは接近して位置するように構成したので、ＩＣタグホルダーが、平面的に見て、回動するようなことがなく、パレットに、安定した状態で、ＩＣタグホルダーを取り付けることができ、従って、ＩＣタグホルダーに収容されたＩＣタグのＩＣチップに蓄積された情報の読み取りやＩＣタグのＩＣチップへの情報の書き込みに、ミスが生じるようなことを、確実に、防止することができる。
【実施例】
【００１３】
以下に、本発明の実施例について説明するが、本発明の趣旨を越えない限り、何ら、本実施例に限定されるものではない。
【００１４】
一例としての、図１に示されている公知の合成樹脂製パレットＰは、上部デッキ１と、下部デッキ２と、上部デッキ１と下部デッキ２を連結する桁３と、桁３間に形成されているフォーク挿入口４とから構成されている。
【００１５】
上部デッキ１の少なくとも１部領域には、略直交するように互いに交叉する交叉梁１ａ、１ｂにより構成された上部デッキ側交叉梁領域１Ａが形成されており、互いに平行な一方の交叉梁１ａ、１ａ間の内幅Ｗ１と、一方の交叉梁１ａ、１ａに直交するとともに、互いに平行なもう一方の交叉梁１ｂ、１ｂ間の内幅Ｗ２とは、略同じ幅に形成されている。同様に、下部デッキ２の少なくとも１部領域には、略直交するように互いに交叉する交叉梁２ａ、２ｂにより構成された下部デッキ側交叉梁領域２Ａが形成されており、互いに平行な一方の交叉梁２ａ、２ａ間の内幅Ｗ３と、一方の交叉梁２ａ、２ａに直交するとともに、互いに平行なもう一方の交叉梁２ｂ、２ｂ間の内幅Ｗ４とは、略同じ幅に形成されている。また、上部デッキ側交叉梁領域１Ａを構成する交叉梁１ａ、１ｂと下部デッキ側交叉梁領域２Ａを構成する交叉梁２ａ、２ｂとは、平面的に見て、互いに、重なるように形成されている。
【００１６】
次に、主として、図３〜図６を用いて、合成樹脂製パレットＰに取り付けられるＩＣタグホルダーＣ及びＩＣタグホルダーＣに収容されるＩＣタグ７について説明する。
【００１７】
ＩＣタグホルダーＣは、同一の２枚の板材５ａ、５ｂが、互いの中心垂直線Ｌ１が一致するように、且つ、一方の板材５ａともう一方の板材５ｂとが互いに直交するように配置された矢羽根部５を有している。
【００１８】
一方の板材５ａの両垂直端５ａ１及びもう一方の板材５ｂの両垂直端５ｂ１には、それぞれ、上下方向に所定の間隔を置いて、水平方向に弾性変形可能な上部係止突片Ｈａと下部係止突片Ｈｂが突設されている。なお、上部係止突片Ｈａと下部係止突片Ｈｂの配設位置は、一方の板材５ａともう一方の板材５ｂとで、同一になるように構成されている。
【００１９】
水平方向に弾性変形可能な上部係止突片Ｈａは、上辺ｈ１と下辺ｈ２と先端垂直辺ｈ３と下辺ｈ２から先端垂直辺ｈ３に向かって傾斜した傾斜端面ｈ４とを有している。また、板材５ａ、５ｂの両垂直端５ａ１、５ｂ１付近に、上部係止突片Ｈａの上辺ｈ１に沿って、上部スリットｓ１を形成するとともに、下辺ｈ２に沿って、上部スリットｓ１と略平行に、下部スリットｓ２を形成することが好ましい。このような上部スリットｓ１及び下部スリットｓ２を形成することにより、上部係止突片Ｈａの水平方向への弾性変形を容易にすることができる。
【００２０】
同様に、水平方向に弾性変形可能な下部係止突片Ｈｂは、上辺ｈ１’と、下辺ｈ２’と、先端垂直辺ｈ３’と、先端垂直辺ｈ３’から上辺ｈ１’に向かって傾斜した傾斜端面ｈ４’とを有している。また、板材５ａ、５ｂの両垂直端５ａ１、５ｂ１付近に、下部係止突片Ｈｂの上辺ｈ１’に沿って、上部スリットｓ１’を形成するとともに、下辺ｈ２’に沿って、上部スリットｓ１’と略平行に、下部スリットｓ２’を形成することが好ましい。このような上部スリットｓ１’及び下部スリットｓ２’を形成することにより、下部係止突片Ｈｂの水平方向への弾性変形を容易にすることができる。
【００２１】
また、一方の板材５ａの両垂直端５ａ１に形成されている上部係止突片Ｈａ及び下部係止突片Ｈｂを、板材５ａの垂直面５ａ２に対して、傾斜して配置することが好ましく、同様に、もう一方の板材５ｂの両垂直端５ｂ１に形成されている上部係止突片Ｈａ及び下部係止突片Ｈｂも、板材５ｂの垂直面５ｂ２に対して、傾斜して配置することが好ましい。
【００２２】
一方の板材５ａの両垂直端５ａ１に形成されている上部係止突片Ｈａの上辺ｈ１と下部係止突片Ｈｂの下辺ｈ２’との垂直距離Ｄ１及びもう一方の板材５ｂの両垂直端５ｂ１に形成されている上部係止突片Ｈａの上辺ｈ１と下部係止突片Ｈｂの下辺ｈ２’との垂直距離Ｄ１とは、同じに形成されているとともに、上部係止突片Ｈａの上辺ｈ１と下部係止突片Ｈｂの下辺ｈ２’との垂直距離Ｄ１及びもう一方の板材５ｂの両垂直端５ｂ１に形成されている上部係止突片Ｈａの上辺ｈ１と下部係止突片Ｈｂの下辺ｈ２’との垂直距離Ｄ１は、上部デッキ１を構成する交叉梁１ａ、１ｂの下端１ａ１、１ｂ１と下部デッキ１を構成する交叉梁２ａ、２ｂの上端２ａ１、２ｂ１との垂直距離Ｄ２と同じか、若干、短く形成されている。
【００２３】
ＩＣタグホルダーＣを構成する２枚の板材５ａ、５ｂの上下方向の中央には、ＩＣタグ収容箱６が取着されている。ＩＣタグ収容箱６は、一つの側壁が開放された開口部６ａを有する箱型に形成されており、開口部６ａ側に位置する天板６ｂの先端部に、相対する側壁６ｃに沿って、所定に間隔を置いて、一対のスリット６ｂ１を形成することにより、天板６ｂの先端部には、上下方向に弾性変形可能な上部水平係止片６ｄが形成されており、上部水平係止片６ｄの下面の先端には係止突条６ｄ１が垂設されている。同様に、開口部６ａ側に位置する底板６ｅの先端部にも、相対する側壁６ｃに沿って、所定に間隔を置いて、一対のスリット６ｅ１を形成することにより、底板６ｅの先端部には、上下方向に弾性変形可能な下部水平係止片６ｆが形成されており、下部水平係止片６ｆの上面の先端には係止突条６ｆ１が立設されている。
【００２４】
７は、ＩＣタグホルダーＣのＩＣタグ収容箱６に嵌合可能なＩＣタグであり、ＩＣタグ７には、ＩＣチップやアンテナや電源電池等が収容されている。本実施例には、ＩＣタグ７が箱型に形成されている例が示されている。ＩＣタグ７を、ＩＣタグホルダーＣのＩＣタグ収容箱６の開口部６ａから挿入すると、ＩＣタグ７は、ＩＣタグ収容箱６の天板６ｂに形成された上部水平係止片６ｄの係止突条６ｄ１に当接し、上部水平係止片６ｄを上方に弾性変形させながら、また、ＩＣタグ収容箱６の底板６ｅに形成された下部水平係止片６ｆの係止突条６ｆ１に当接し、下部水平係止片６ｆを下方に弾性変形させながら、ＩＣタグ収容箱６に収容され、ＩＣタグ７のＩＣタグ収容箱６への収容終了時には、図６に示されているように、ＩＣタグ７の天板７ａが、上部水平係止片６ｄの係止突条６ｄ１から外れ、上部水平係止片６ｄの弾性復元力により、係止突条６ｄ１が、ＩＣタグ７の前壁７ｃの上端角部付近に係合し、同時に、ＩＣタグ７の底板７ｂが、下部水平係止片６ｆの係止突条６ｆ１から外れ、下部水平係止片６ｆの弾性復元力により、下部水平係止片６ｆの係止突条６ｆ１が、ＩＣタグ７の前壁７ａの下端角部付近に係合し、ＩＣタグ７が、簡単には、ＩＣタグホルダーＣのＩＣタグ収容箱６から排出しないように構成されている。
【００２５】
上述したように、本実施例においては、上部デッキ側交叉梁領域１Ａを構成する互いに平行な一方の交叉梁１ａ、１ａ間の内幅Ｗ１と互いに平行なもう一方の交叉梁１ｂ、１ｂ間の内幅Ｗ２とは、略同じ幅に形成されているので、相対する交叉梁１ａ、１ａと相対する交叉梁１ｂ、１ｂとにより囲まれた領域は、平面的に見て、正方形領域として形成されており、同様に、下部デッキ側交叉梁領域２Ａを構成する互いに平行な一方の交叉梁２ａ、２ａ間の内幅Ｗ３と互いに平行なもう一方の交叉梁２ｂ、２ｂ間の内幅Ｗ４とは、略同じ幅に形成されているので、相対する交叉梁２ａ、２ａと相対する交叉梁２ｂ、２ｂとにより囲まれた領域は、平面的に見て、正方形領域として形成されている。従って、上部デッキ側交叉梁領域１Ａを構成する相対する交叉梁１ａ、１ａと相対する交叉梁１ｂ、１ｂとにより囲まれた正方形領域の２本の対角線の長さＷ５は、共に同じ長さであり、同様に、下部デッキ側交叉梁領域２Ａを構成する相対する交叉梁２ａ、２ａと相対する交叉梁２ｂ、２ｂとにより囲まれた正方形領域の２本の対角線の長さＷ６は、共に同じ長さであり、更に、上部デッキ側交叉梁領域１Ａを構成する相対する交叉梁１ａ、１ａと相対する交叉梁１ｂ、１ｂとにより囲まれた正方形領域の対角線の長さＷ５と、下部デッキ側交叉梁領域２Ａを構成する相対する交叉梁２ａ、２ａと相対する交叉梁２ｂ、２ｂとにより囲まれた正方形領域の対角線の長さＷ６とは、同じ長さに形成されている。
【００２６】
ＩＣタグホルダーＣを構成する一方の板材５ａの幅、換言すれば、板材５ａの両垂直端５ａ１間の距離Ｗ７は、上部デッキ１を構成する相対する交叉梁１ａ、１ａと相対する交叉梁１ｂ、１ｂとにより囲まれた正方形領域の対角線の長さＷ５と同じか、若干、短く形成されているとともに、下部デッキ２を構成する相対する交叉梁２ａ、２ａと相対する交叉梁２ｂ、２ｂとにより囲まれた正方形領域の対角線の長さＷ６と同じか、若干、短く形成されている。同様に、ＩＣタグホルダーＣを構成するもう一方の板材５ｂの幅、換言すれば、板材５ｂの両垂直端５ｂ１間の距離Ｗ８も、上部デッキ１を構成する相対する交叉梁１ａ、１ａと相対する交叉梁１ｂ、１ｂとにより囲まれた正方形領域の対角線の長さ離Ｗ５と同じか、若干、短く形成されているとともに、下部デッキ２を構成する相対する交叉梁２ａ、２ａと相対する交叉梁２ｂ、２ｂとにより囲まれた正方形領域の対角線の長さ距離Ｗ６と同じか、若干、短く形成されている。なお、上述したように、ＩＣタグホルダーＣの矢羽根部５を構成する２枚の板材５ａ、５ｂは、同一に形成されているので、一方の板材５ａの幅Ｗ７ともう一方の板材５ｂの幅Ｗ８は、同じ幅に形成されている。
【００２７】
次に、主として、図７及び図８を用いて、合成樹脂製パレットＰを構成する上部デッキ側交叉梁領域１Ａ及び下部デッキ側交叉梁領域２ＡへのＩＣタグ７が収容されたＩＣタグホルダーＣの取り付けについて説明する。
【００２８】
上部デッキ１を構成する相対する交叉梁１ａ、１ａと相対する交叉梁１ｂ、１ｂとにより囲まれた正方形領域の一方の対角線上に、ＩＣタグホルダーＣを構成する一方の板材５ａが一致するとともに、上部デッキ１を構成する相対する交叉梁１ａ、１ａと相対する交叉梁１ｂ、１ｂとにより囲まれた正方形領域のもう一方の対角線上に、ＩＣタグホルダーＣを構成する一方の板材５ｂが一致するように、上部デッキ１の上方に、ＩＣタグホルダーＣを配置する。
【００２９】
上述した状態から、ＩＣタグホルダーＣを下降させると、ＩＣタグホルダーＣを構成する板材５ａ、５ｂに形成された下部係止突片Ｈｂが、上部デッキ１を構成する交叉梁１ａ、１ｂに当接し、ＩＣタグホルダーＣのそれ以上の下降が阻止されることになるので、下部係止突片Ｈｂが、上部デッキ１を構成する交叉梁１ａ、１ｂに当接しないように、下部係止突片Ｈｂを、水平方向に弾性変形させる。この状態で、下部係止突片Ｈｂを、上部デッキ１を構成する相対する交叉梁１ａ、１ａと相対する交叉梁１ｂ、１ｂとにより囲まれた正方形領域に挿入するとともに、下部係止突片Ｈｂを、上部デッキ１を構成する交叉梁１ａ、１ｂを通過させる。下部係止突片Ｈｂが、上部デッキ１を構成する交叉梁１ａ、１ｂを通過した時点で、下部係止突片Ｈｂは、その弾性復元力により、元の状態に戻ることになる。その後、ＩＣタグホルダーＣを更に下降させると、上部係止突片Ｈａが、上部デッキ１を構成する交叉梁１ａ、１ｂに当接することになるので、同様にして、上部係止突片Ｈａを、水平方向に弾性変形させて、上部係止突片Ｈａが、上部デッキ１を構成する交叉梁１ａ、１ｂに当接しないようにして、上部係止突片Ｈａを、上部デッキ１を構成する交叉梁１ａ、１ｂを通過させる。そして、上部係止突片Ｈａが、上部デッキ１を構成する交叉梁１ａ、１ｂを通過した時点で、上部係止突片Ｈａは、その弾性復元力により、元の状態に戻ることになる。
【００３０】
上述したように、ＩＣタグホルダーＣを構成する板材５ａ、５ｂに形成された上部係止突片Ｈａが、上部デッキ１を構成する交叉梁１ａ、１ｂを通過した時点においては、上部係止突片Ｈａの上辺ｈ１が、上部デッキ１を構成する交叉梁１ａ、１ｂの下端１ａ１、１ｂ１に接触、或いは、接近して位置するとともに、下部係止突片Ｈｂの下辺ｈ２’が、下部デッキ２を構成する交叉梁２ａ、２ｂの上端２ａ１、２ｂ１に載置されるように構成されている。
【００３１】
上述したように、ＩＣタグホルダーＣが、合成樹脂製パレットＰに取り付けられた際には、ＩＣタグホルダーＣを構成する板材５ａ、５ｂに形成された上部係止突片Ｈａの上辺ｈ１が、上部デッキ１を構成する交叉梁１ａ、１ｂの下端１ａ１、１ｂ１に接触、或いは、接近して位置するとともに、下部係止突片Ｈｂの下辺ｈ２’が、下部デッキ２を構成する交叉梁２ａ、２ｂの上端２ａ１、２ｂ１に載置されるように構成されているので、ＩＣタグホルダーＣが、合成樹脂製パレットＰに対して、上下動するようなことがなく、合成樹脂製パレットＰに、安定した状態で、ＩＣタグホルダーＣを取り付けることができ、従って、ＩＣタグホルダーＣを構成するＩＣタグホルダー収容箱６に収容されたＩＣタグ７のＩＣチップに蓄積された情報の読み取りやＩＣチップへの情報の書き込みに、ミスが生じるようなことを防止することができる。
【００３２】
また、上述したように、ＩＣタグホルダーＣを構成する板材５ａ、５ｂの幅Ｗ７、Ｗ８は、上部デッキ１を構成する相対する交叉梁１ａ、１ａと相対する交叉梁１ｂ、１ｂとにより囲まれた正方形領域の対角線の長さＷ５と同じか、若干、短く形成されているとともに、下部デッキ２を構成する相対する交叉梁２ａ、２ａと相対する交叉梁２ｂ、２ｂとにより囲まれた正方形領域の対角線の長さＷ６と同じか、若干、短く形成されており、且つ、上述したように、ＩＣタグホルダーＣが、合成樹脂製パレットＰに取り付けられた際には、板材５ａ、５ｂの両垂直端５ａ１、５ｂ１が、上部デッキ１を構成する相対する交叉梁１ａ、１ａと相対する交叉梁１ｂ、１ｂとにより囲まれた正方形領域の隅部及び下部デッキ２を構成する相対する交叉梁２ａ、２ａと相対する交叉梁２ｂ、２ｂとにより囲まれた正方形領域の隅部に、当接或いは接近して位置するように構成されているので、ＩＣタグホルダーＣが、平面的に見て、回動するようなことがなく、合成樹脂製パレットＰに、安定した状態で、ＩＣタグホルダーＣを取り付けることができ、従って、ＩＣタグホルダーＣを構成するＩＣタグ収容箱６に収容されたＩＣタグ７のＩＣチップに蓄積された情報の読み取りやＩＣチップへの情報の書き込みに、ミスが生じるようなことを、確実に、防止することができる。
【００３３】
また、ＩＣタグホルダーＣを構成する２枚の板材５ａ、５ｂの上下方向の中央に、ＩＣタグ７が収容されるＩＣタグ収容箱６が取着されるように構成されているとともに、板材５ａ、５ｂに形成された上部係止突片Ｈａの上辺ｈ１と板材５ａ、５ｂの上端５ａ３、５ｂ３との垂直距離Ｔ１と、板材５ａ、５ｂに形成された下部係止突片Ｈｂの下辺ｈ２’と板材５ａ、５ｂの下端５ａ４、５ｂ４との垂直距離Ｔ２とは同じに形成されているので、ＩＣタグホルダーＣが、合成樹脂製パレットＰに取り付けられた際には、ＩＣタグ７は、合成樹脂製パレットＰの上部デッキ１と下部デッキ２との中央に配置されることになる。従って、合成樹脂製パレットＰに載置される物品が、金属製であったり、磁気を有する場合であっても、ＩＣタグホルダーが上部デッキや下部デッキに配設された場合に較べて、ＩＣタグ７が、物品から離れた位置にあるので、ＩＣタグ７に収容されたＩＣチップが、物品に影響されて、リーダー・ライターによる情報の読み書きに、ミスが生じるようなことを防止することができる。
【００３４】
更に、ＩＣタグホルダーＣが、合成樹脂製パレットＰに取り付けられた際には、ＩＣタグ７が、合成樹脂製パレットＰの上部デッキ１と下部デッキ２との中央に配置するように構成されているので、水平状態の空の合成樹脂製パレットＰを段積みしたり、或いは、垂直状態の空の合成樹脂製パレットＰを並設した際に、隣接した空の合成樹脂製パレットＰに取り付けられたＩＣタグ７が、接近して位置するようなことがないので、ＩＣタグホルダーが、接近して位置するＩＣタグホルダーに影響されて、リーダー・ライターによるＩＣチップへの情報の読み書きに、ミスが生じるようなことを防止することができる。
【００３５】
更にまた、上述したように、上部デッキ１に、互いに交叉する交叉梁１ａ、１ｂにより構成された上部デッキ側交叉梁領域１Ａが形成されているとともに、下部デッキ２にも、互いに交叉する交叉梁２ａ、２ｂにより構成された下部デッキ側交叉梁領域２Ａが形成されている合成樹脂製パレットＰであれば、合成樹脂製パレットＰに、何ら、加工を施すようなことなく、既存の合成樹脂製パレットＰに、ＩＣタグホルダーＣを取り付けることができる。
【００３６】
上述したＩＣタグホルダーＣは、上部デッキ１に、互いに交叉する交叉梁１ａ、１ｂにより構成された上部デッキ側交叉梁領域１Ａが形成されているとともに、下部デッキ２にも、互いに交叉する交叉梁２ａ、２ｂにより構成された下部デッキ側交叉梁領域２Ａが形成されている合成樹脂製パレットＰであれば、上部デッキ１に物品が載置可能であるとともに、下部デッキ２にも物品が載置可能な、所謂、両面使用可能な合成樹脂製パレットＰに取り付けることも、また、上部デッキ１にのみ、物品が載置可能である、所謂、片面使用の合成樹脂製パレットＰに取り付けることもできる。
【００３７】
なお、ＩＣタグホルダーＣが取り付けられる、略直交するように互いに交叉する交叉梁１ａ、１ｂにより構成された上部デッキ側交叉梁領域１Ａと略直交するように互いに交叉する交叉梁２ａ、２ｂにより構成された下部デッキ側交叉梁領域２Ａが、合成樹脂製パレットＰの略中央部に形成されている場合には、このような合成樹脂製パレットＰの略中央部に形成されている上部デッキ側交叉梁領域１Ａ下部デッキ側交叉梁領域２Ａに、ＩＣタグホルダーＣが取り付けることが好ましい。このように構成することにより、合成樹脂製パレットＰに対して、どの位置に、リーダー・ライターが配設されていても、ＩＣタグホルダーＣとリーダー・ライターとの距離が略同じであるので、リーダー・ライターによるＩＣチップへの情報の読み書きに、ミスが生じるようなことを防止することができる。
【００３８】
また、上述ＩＣタグホルダーＣは、射出成形等により、合成樹脂で一体に成形することが好ましい。
【００３９】
なお、上述した実施例には、互いに平行な一方の交叉梁１ａ、１ａ間の内幅Ｗ１と互いに平行なもう一方の交叉梁１ｂ、１ｂ間の内幅Ｗ２とを、略同じ幅に形成することにより、上部デッキ側交叉梁領域１Ａが、平面的に見て、正方形領域として形成されており、同様に、互いに平行な一方の交叉梁２ａ、２ａ間の内幅Ｗ３と互いに平行なもう一方の交叉梁２ｂ、２ｂ間の内幅Ｗ４とを、略同じ幅に形成することにより、下部デッキ側交叉梁領域２Ａが、平面的に見て、正方形領域として形成されている例が示されているが、互いに平行な一方の交叉梁１ａ、１ａ間の内幅Ｗ１と互いに平行なもう一方の交叉梁１ｂ、１ｂ間の内幅Ｗ２との幅を変えることにより、上部デッキ側交叉梁領域１Ａを、平面的に見て、長方形領域として形成し、同様に、互いに平行な一方の交叉梁２ａ、２ａ間の内幅Ｗ３と互いに平行なもう一方の交叉梁２ｂ、２ｂ間の内幅Ｗ４との幅を変えることにより、下部デッキ側交叉梁領域２Ａを、平面的に見て、長方形領域として形成することもできる。
【００４０】
なお、上述した実施例には、ＩＣタグ７が箱型に形成されている例が示されており、箱型に形成されたＩＣタグ７に対応して、ＩＣタグホルダーＣのＩＣタグ収容箱６が箱型に形成されているが、ＩＣタグ７の形状を、種々の形状とすることができ、このようなＩＣタグ７の形状に対応して、ＩＣタグ収容箱６の形状を、適宜、変更することができる。
【図面の簡単な説明】
【００４１】
【図１】図１は、ＩＣタグホルダーが取り付けられる一例としてのパレットの斜視図である。
【図２】図２は、図１に示されているパレットの部分拡大斜視図である。
【図３】図３は、本発明のパレットへのＩＣタグホルダー取り付け機構を構成するＩＣタグホルダーとＩＣタグホルダーに収容されるＩＣタグの斜視図である。
【図４】図４は、本発明のパレットへのＩＣタグホルダー取り付け機構を構成するＩＣタグホルダーの斜視図である。
【図５】図５は、本発明のパレットへのＩＣタグホルダー取り付け機構を構成するＩＣタグホルダーの平面図である。
【図６】図６は、本発明のパレットへのＩＣタグホルダー取り付け機構を構成するＩＣタグホルダーにＩＣタグが収容された状態の斜視図である。
【図７】図７は、本発明のパレットへのＩＣタグホルダー取り付け機構を構成するＩＣタグが収容された状態のＩＣタグホルダーとパレットの斜視図である。
【図８】図８は、本発明のパレットへのＩＣタグホルダー取り付け機構を構成するＩＣタグホルダーがパレットに取り付けられた状態の斜視図である。
【符号の説明】
【００４２】
Ｃ・・・・・・・・・・・・・・・・ＩＣタグホルダー
Ｐ・・・・・・・・・・・・・・・・パレット
Ｈａ・・・・・・・・・・・・・・・上部係止突片
Ｈｂ・・・・・・・・・・・・・・・下部係止突片
１・・・・・・・・・・・・・・・・上部デッキ
２・・・・・・・・・・・・・・・・下部デッキ
５・・・・・・・・・・・・・・・・矢羽根部
５ａ、５ｂ・・・・・・・・・・・・板材
６・・・・・・・・・・・・・・・・ＩＣタグ収容箱
７・・・・・・・・・・・・・・・・ＩＤタグ
【図１】
0004684938.tif 000002
【図２】
0004684938.tif 000003
【図３】
0004684938.tif 000004
【図４】
0004684938.tif 000005
【図５】
0004684938.tif 000006
【図６】
0004684938.tif 000007
【図７】
0004684938.tif 000008
【図８】
0004684938.tif 000009